(57)【要約】【課題】  スピーカーボックスを表示装置本体に装着する際、作業に不慣れであっても装着作業が容易に行える一方、ビリ音あるいは共振音の発生を抑制し、音質を向上させることのできるスピーカーホルダと、同スピーカーホルダを備えた薄型表示装置を提供することを目的とする。【解決手段】スピーカーホルダ１４は、上下一対となった上部部材１４ａと下部部材１４ｂとが同一形状に形成され、これら上部部材１４ａと下部部材１４ｂとは、スピーカーボックスの外形形状に適合するように、断面コ字状に形成されたスピーカーボックス固定部１５と、表示装置本体に形成された後述する挿入溝に固定される、先端部が先細となった略平板状の本体固定部１６と、これらスピーカーボックス固定部１５と本体固定部１６との間に設けられ、防振部材１８を先端部に支持した支持部１７とから構成される。【選択図】図３
2007067462.tif 000002
【特許請求の範囲】
【請求項１】
スピーカーボックスをスピーカーホルダにより表示装置本体に装着するスピーカー取付構造において、
前記スピーカーホルダが、係止手段により前記スピーカーボックスを固定するスピーカーボックス固定部と、前記表示装置本体に固定される本体固定部と、これらスピーカーボックス固定部と本体固定部との間に設けられ、防振部材を支持する支持部とで形成されたことを特徴とするスピーカー取付構造。
【発明の詳細な説明】
【技術分野】
【０００１】
本発明は、スピーカーボックスを表示装置本体に装着するスピーカー取付構造に係わり、より詳細には、スピーカーボックスと表示装置本体との間に挟持される防振部材から発生する共振現象を防止するとともに、装着の容易性を高めた構成に関する。
【背景技術】
【０００２】
ＰＤＰ（プラズマディスプレイパネル）あるいは液晶表示装置等の薄型表示装置は、薄型軽量であることを生かし壁掛表示装置として利用されるか、あるいはスタンド装置を用いて床置きとして利用されるか、購入者により適宜選択されて室内に据付けられるようになっている。同薄型表示装置に付属されるスピーカーボックスも音の広がり感を出すため、表示装置本体と分離して設置されたり、又、室内のスペースに余裕がない場合は、表示装置本体の両側に装着されて据付けられるようになっており、このような様々な設置方法に対応するため、表示装置本体とスピーカーボックスとは分離されて梱包され、又、各種の取付金具を同梱して出荷されるようになっている。
【０００３】
購入者がスピーカーボックスを表示装置本体に装着する場合は、例えば図９（Ａ）で示すように、まず表示装置本体４０の左右に夫々装着されるスピーカーボックス４１の表示装置４０と対向する側面夫々に、長尺状のスポンジ材あるいはゴム材等からなる防振部材４２を貼着し、次に、断面円弧状に形成され前記スピーカーボックス４１と前記表示装置４０に対応する螺子孔４３ａを複数穿設した板金からなるスピーカーホルダ４３を螺子４４により前記スピーカーボックス４１に螺着する。次に、前記防振部材４２を前記スピーカーボックス４１と前記表示装置４０との間で挟持するようにして、前記スピーカーホルダ４３を、螺子４４を用いて前記表示装置本体４０に螺着するようになっている。
【０００４】
スピーカーホルダが樹脂材から形成されている場合も、まずスピーカーボックス４１の側面に長尺状の前記防振部材４２を貼着し、次に、図９（Ｂ）で示すように、樹脂材からなるスピーカーホルダ４５の取付強度を維持するため、その一側四囲を螺子４４によりスピーカーボックス４１の裏面に螺着する。続いて同スピーカーホルダ４５の他側に穿設された螺子孔４５ａ及び４５ｂを用いて前記表示装置本体４０に螺着するようになっている。又、前記防振部材４２は、前記スピーカーボックス４１と前記表示装置本体４０とが接触して所謂ビリ音が発生し音質が低下してしまう等の不具合を防止するようになっている。
【０００５】
しかしながら、前記スピーカーボックス４１が樹脂材からなる場合、同スピーカーボックス４１の筐体が樹脂成型後の収縮等により側面部が凹状となったり、あるいは凸状となる等の変形を生じると、側面部の上下に渡り設けられた前記防振部材４２との間に微小な隙間を生じる。微小な隙間が生じると前記スピーカーボックス４１と前記防振部材４２との間で共振現象が発生する場合があり、これが前記スピーカーボックス４１から発せられる音声あるいは音楽に悪影響を与えるというような不具合があった。
【０００６】
又、ドライバー等の工具を用いて前記スピーカーボックス４１を前記スピーカーホルダ４３及び４５により前記表示装置本体４０に装着する作業は、このような作業に不慣れな一般の購入者にとっては煩わしいものであり、又、薄型表示装置の大型化に伴い単独で作業を行うことが困難になる等の問題があり、不慣れな装着作業により、前記スピーカーボックス４１が傾斜して取付けられてしまい、前記防振部材４２が間にはさまれているにもかかわらず、前記スピーカーボックス４１と前記表示装置本体４０の一部が接触し、共振現象を誘発してビリ音が発生してしまうというような不具合が生じることがあった。        
【０００７】
更に、前記スピーカーボックス４１内部に、図９（Ｂ）で示すような、前記螺子４４が螺合するボスを内側に向けて突設させると、同スピーカーボックス４１内で反射を繰り返す反響音に歪みが生じ、音質が低下してしまうというような問題があった。
【発明の開示】
【発明が解決しようとする課題】
【０００８】
本発明は、上記問題点に鑑み、防振部材との間に発生する共振音の発生を防止し、音質を向上させることができるとともに、スピーカーボックスを表示装置本体に装着する際、作業に不慣れな一般の購入者であっても装着作業が容易に行えるスピーカー取付構造を提供することを目的とする。
【課題を解決するための手段】
【０００９】
本発明は、上記課題を解決するため、スピーカーボックスをスピーカーホルダにより表示装置本体に装着するスピーカー取付構造において、前記スピーカーホルダが、係止手段により前記スピーカーボックスを固定するスピーカーボックス固定部と、前記表示装置本体に固定される本体固定部と、これらスピーカーボックス固定部と本体固定部との間に設けられ、防振部材を支持する支持部とで形成された構成となっている。
【発明の効果】
【００１０】
本発明によると、スピーカーボックスを表示装置本体に装着するスピーカーホルダに上下一対に設けられた防振部材が、共振音発生現象を的確に防止して、前記スピーカーボックスから発せられる音質を向上させるようになっている。又、スピーカーホルダが、上下一対となった上部部材と下部部材とからなり、これら上部部材と下部部材とが、スピーカーボックスの外形形状に適合するように、断面コ字状に形成されたスピーカーボックス固定部と、前記表示装置本体に形成された挿入溝に挿入される、先端部が先細となった本体固定部と、これらスピーカーボックス固定部と本体固定部とを連結するとともに、方形状に形成された防振部材を先端部に設けた支持部とから構成されることにより、スピーカーボックスを前記表示装置本体に装着する際、螺子及びこれを締めつけるドライバ等の工具を不要として、不慣れな一般の使用者であっても、容易に装着作業を行うことができる取り扱い性の向上した薄型表示装置とすることができるようになっている。又、更に、前記スピーカーボックス内に螺子止め用のボスが不要となることにより、スピーカーボックス内での反響特性を改善させ、音質の向上をはかれるようになっている。
【発明を実施するための最良の形態】
【００１１】
以下、本発明の実施の形態を、添付図面に基づいた実施例として詳細に説明する。
【実施例１】
【００１２】
図１（Ａ）はスピーカーボックスを両側面に装着した薄型表示装置を示す全体正面図であり、図１（Ｂ）はスピーカーボックスの断面図である。図２は薄型表示装置の要部平面図であり、図３は第一実施例でのスピーカーホルダの平面図及び正面図である。図４はスピーカーホルダとスピーカーボックスとの連結を示す平面図であり、図５はスピーカーホルダと薄型表示装置本体との連結を示す平面図である。図６はスピーカーボックスと薄型表示装置を示す部分正面図である。又、図７は第二実施例を、図８は第三実施例を夫々示す平面図及び正面図である。
【００１３】
本発明によるスピーカーホルダと、同スピーカーホルダを備えた薄型表示装置１は、図１（Ａ）の正面図で示すように、表示装置本体２と、同表示装置本体２の両側にスピーカーホルダにより装着されたスピーカーボックス４及びスピーカーボックス５とからなっている。前記表示装置本体２は枠体状に形成された樹脂材からなるフロントパネルと、前面が開放された箱体状に形成され樹脂材あるいは板金からなるリアパネルとで外郭筐体を構成し、前記フロントパネルの開放された前面に板状の透明部材からなる光学フィルタ３を装着している。
【００１４】
前記スピーカーボックス４及びスピーカーボックス５は、前記表示装置本体２と縦寸法が同一となるような略方形状に形成され、その前面には編目状のネット４を貼着している。スピーカーボックス４とスピーカーボックス５とは、外郭形状が対称となるように形成されているが内部構成は同一であるので、スピーカーボックス５の説明は省略しスピーカーボックス４についてのみ説明する。
【００１５】
前記スピーカーボックス４は、図１（Ｂ）の断面図で示すように、樹脂材からなり、後面が開放され周囲に後方に折曲されたフランジを延出した略平板状のフロントボックス６と、樹脂材からなり、前面が開放された箱体状に形成され、前記フロントボックス６と接合されるリアボックス７とから構成されている。前記フロントボックス６には適宜複数の取付孔が穿設されており、略中央部の取付孔には上部スピーカー９及び下部スピーカー１０とが上下一対となって取付けられ、これらの間には、高音域の音声、音楽を効果的に再生するツィータ１１が取付けられている。又、前記下部スピーカー１０の下方には高音域の音声、音楽を効果的に再生するバスレフ１２が取付けられており、これらの前面には上記したように編目状のネット４が貼着されている。又、前記リアボックス７には、前記表示装置本体２に内蔵された音声信号処理基板から導出される信号線を接続するコネクタ１３が設けられており、これらを備えたスピーカーボックス４は、図２の平面図で示すようなスピーカーホルダ１４により、前記表示装置本体２に装着されるようになっている。
【００１６】
前記スピーカーホルダ１４は樹脂材からなり、図３（Ａ）の平面図及び図３（Ｂ）の正面図で示すように、上下一対となった上部部材１４ａと下部部材１４ｂとが同一形状に形成されており、これら上部部材１４ａと下部部材１４ｂとは、前記スピーカーボックス４の外形形状に適合するように、断面コ字状に形成されたスピーカーボックス固定部１５と、前記表示装置本体２に形成された後述する挿入溝に固定される、先端部が先細となった略平板状の本体固定部１６と、これらスピーカーボックス固定部１５と本体固定部１６とを連結するとともに、方形状に形成された防振部材１８を先端部に設けた支持部１７とからなり、前記上部部材１４ａのスピーカーボックス固定部１５と、前記下部部材１４ｂのスピーカーボックス固定部１５とを、左右一対の連結ステー１５ａで連結することにより一体に形成されている。
【００１７】
前記スピーカーボックス固定部１５の前記本体固定部１６側内壁面には、断面略三角形状の固定係止爪２０が内方に向けて突設され、これと対向する内壁面には、図３（Ｃ）の矢視図で示すように、コ字状の切欠き１９ｃと、同切欠き１９ｃにより左右方向に揺動自在に支持され、先端部に爪１９ｂを形成した可動部１９ａとからなる可動係止爪１９が設けられている。
【００１８】
前記本体固定部１６は断面が台形状に形成され、上記したように前記支持部１７から後方に向けて先端部が先細となるように延出されており、外面側に複数の補強リブ１６ａを長手方向に形成するとともに、前記可動爪部１９と同様に同構成され、後述する前記表示装置本体２の固定部に係止される本体側係止爪２１が前後一対となって形成されている。
【００１９】
前記支持部１７の先端に設けられた防振部材１８は、スポンジ材あるいはゴム材等の弾性を備えた軟質材からなり、その固有周波数が、前記スピーカーボックス４又は前記表示装置本体２の筐体との間で共振現象を励起しないよう適切な材質が選定されるようになっている。又、同防振部材１８は前記スピーカーボックス４の筐体及び前記表示装置本体２の筐体に圧縮されて挟持されるようになっており、これにより、これらとの間に隙間を生じ、共振現象あるいは所謂ビリ音現象等の不具合が発生することを防止するようになっている。
【００２０】
次に、前記スピーカーボックス４の前記表示装置本体２への取付について説明する。前記スピーカーボックス４の両側面には、図４で示すように、前記スピーカーホルダ１４のスピーカーボックス固定部１５に形成された前記固定係止爪２０及び前記可動係止爪１９に対応して、断面略三角形状の凹部７ａが左右一対となって上下に形成されている。前記スピーカーホルダ１４のスピーカーボックス固定部１５を前記スピーカーボックス４の後方側から押し込むと、前記可動係止爪１９の可動部１９ａが撓んで押し込みが可能となり、前記凹部７ａに夫々前記固定係止爪２０及び前記可動係止爪１９が係止されると、前記スピーカーホルダ１４に前記スピーカーボックス４が堅固に固定されるようになっている。
【００２１】
前記表示装置本体２の両側面には、図５（Ｂ）のＢ−Ｂ断面図で示すように、前記本体固定部１６の台形状となった断面に対応して、底部側が拡開した断面台形状の挿入溝２ａが背面部近傍まで形成されるとともに、底部面には、図５で示すように、前記本体固定部１６に備えられた前後一対の本体側係止爪２１に対応して、これを係止する係止溝２ｂが前後に形成されている。前記スピーカーボックス４を固定した前記スピーカーホルダ１４の前記本体固定部１６を、矢印で示すように、前記表示装置本体２の前面側から前記挿入溝２ａに挿入してゆき、前記本体側係止爪２１を前記係止溝２ｂに係止させることにより、前記スピーカーホルダ１４は前記表示装置本体２に堅固に固定されるようになっている。
【００２２】
前記スピーカーボックス４を固定した前記スピーカーホルダ１４が前記表示装置本体２に固定されると、図６で示すように、上下に一対となって設けられた前記防振部材１８は前記スピーカーボックス４の筐体と、前記表示装置本体２の筐体とに圧縮され、圧縮されることにより硬度が増しながらこれら筐体と密着するようになり、又、上下の二点間支持によりこれら筐体の平行度を保つようにして、前記スピーカーボックス４の筐体と前記表示装置本体２の筐体の一部が接触してビリ音が発生したり、あるいは、密着することにより同防振部材１８と筐体との間に微小な隙間が生じて共振現象を生じ、音質が低下してしまうというような不具合を防止するようになっている。
【００２３】
上記したように、前記スピーカーホルダ１４に設けられた上下一対の前記防振部材１８が、ビリ音あるいは共振音発生現象を防止して、前記スピーカーボックス４の音質を向上させるようになっている。又、前記スピーカーホルダ１４により前記スピーカーボックス４を前記表示装置本体２に装着することにより、螺子及びこれを締めつけるドライバ等の工具を不要として、このような作業に不慣れな一般の使用者であっても、容易に装着作業を行うことができる取り扱い性の向上した薄型表示装置とすることができるようになっている。又、更に、前記スピーカーボックス４内に螺子止め用のボスが不要となることにより、同スピーカーボックス４内での反響特性を改善させ、音質の向上をはかれるようになっている。
【実施例２】
【００２４】
次に、第二実施例について説明する。第二実施例でのスピーカーホルダ２２は、図７（Ａ）で示すように、前記表示装置本体２に複数の螺子２５で固定される本体側ブラケット２２ａと、前記スピーカーボックス４の筐体背面側に螺子２５で固定される、略Ｌ字状に形成されたスピーカー側ブラケット２２ｂと、これらの間に挟持されるスプリング２３とからなり、前記本体側ブラケット２２ａと、前記スピーカー側ブラケット２２ｂとは、前部の一端を軸２２ｃに連結されることにより拡開自在となっている。前記スプリング２３は押圧スプリングであり、同スプリング２３の押圧力により前記本体側ブラケット２２ａと、前記スピーカー側ブラケット２２ｂは、常に拡開する方向に付勢されるようになっている。
【００２５】
前記表示装置本体２と、前記スピーカーボックス４との間には、上記した第一実施例と同様に、図７（Ｂ）で示すように、防振部材１８が上下に２箇所配置されており、前記スピーカーホルダ２２の本体側ブラケット２２ａと、前記スピーカー側ブラケット２２ｂとが前記スプリング２３の押圧力により拡開すると、前記防振部材１８は前記表示装置本体２の側面と、前記スピーカーボックス４の側面とにより挟まれ圧縮されるようになっている。
【００２６】
前記防振部材１８が圧縮されるようにして、前記表示装置本体２の側面と、前記スピーカーボックス４の側面との間で挟持されることにより、ビリ音あるいは共振音発生現象を防止して、前記スピーカーボックス４の音質を向上させるようになっている。
【実施例３】
【００２７】
次に、第三実施例について説明する。第三実施例でのスピーカーホルダ２６は、図８で示すように、前記表示装置本体２に複数の螺子２５で固定される、断面二股状に形成された長辺状の本体側ブラケット２７と、前記スピーカーボックス４の筐体背面側に螺子２５で固定される、略Ｌ字状に形成された長辺状のスピーカー側ブラケット２８と、これらの間に挟持される長辺矩形状の防振部材２９とからなっている。前記スピーカー側ブラケット２８の下端部には、図８（Ｂ）で示すように、円弧状の係止爪２８ｂが突設され、前記本体側ブラケット２７の下端部には、前記係止爪２８ｂが係止される係止孔２７ｂが穿設されている。又、前記スピーカー側ブラケット２８の上端部には、螺子挿通孔２８ａが穿設され、前記本体側ブラケット２７の上端部には、前記螺子挿通孔２８ａに対応した螺子孔２７ａが穿設されている。
【００２８】
前記スピーカーボックス４を、前記表示装置本体２に装着する際は、これらに夫々スピーカー側ブラケット２８と本体側ブラケット２７とを取付けた後、図８（Ｂ）で示すように、前記係止爪２８ｂを前記係止孔２７ｂに係止させ、前記防振部材２９を前記スピーカー側ブラケット２８と前記本体側ブラケット２７との間に挟持するようにして、螺子２５を前記螺子挿通孔２８ａに挿通させ、前記螺子孔２７ａに螺合させる。
【００２９】
前記防振部材２９が前記スピーカー側ブラケット２８と前記本体側ブラケット２７との間で広い面積を保ちながら挟持されることにより、ビリ音あるいは共振音発生現象を防止して、前記スピーカーボックス４の音質を向上させるようになっている。又、前記係止爪２８ｂを前記係止孔２７ｂに係止させて、前記スピーカーボックス４の装着作業を行えることにより、作業性を向上させることができるようになっている。
【図面の簡単な説明】
【００３０】
【図１】（Ａ）はスピーカーボックスを装着した薄型表示装置を示す正面図である。  （Ｂ）はスピーカーボックスの断面図である。
【図２】スピーカーボックスを装着した薄型表示装置の要部平面図である
【図３】（Ａ）は第一実施例でのスピーカーホルダを示す平面図である。  （Ｂ）は第一実施例でのスピーカーホルダを示す正面図でである。  （Ｃ）は要部矢視図である。
【図４】第一実施例でのスピーカーホルダとスピーカーボックスとの連結を示す平面図である。
【図５】第一実施例でのスピーカーホルダと薄型表示装置本体との連結を示す平面図である。
【図６】スピーカーボックスを装着した薄型表示装置を示す要部正面図である
【図７】第二実施例でのスピーカーホルダを示す平面図及び正面図である。
【図８】第三実施例でのスピーカーホルダを示す平面図及び正面図である。
【図９】（Ａ）及び（Ｂ）は従来のスピーカーホルダによるスピーカーボックスの取付をを示す斜視図である。
【符号の説明】
【００３１】
１  薄型表示装置
２  表示装置本体
２ａ  挿入溝
２ｂ  係止溝
３  光学フィルタ
４、５  スピーカーボックス
６  フロントボックス
７  リアボックス
８  ネット
９、１０  スピーカー
１１  ツィータ
１２  バスレフ
１３  コネクタ
１４  スピーカーホルダ
１４ａ  上部部材
１４ｂ  下部部材
１５  スピーカーボックス固定部
１５ａ  連結ステー
１６  本体固定部
１７  支持部
１８  防振部材
１９  可動係止爪
１９ａ  可動部
１９ｂ  爪
１９ｃ  切欠き
２０  固定係止爪
２１  本体側係止爪
２２  スピーカーホルダ
２２ａ  本体側ブラケット
２２ｂ  スピーカー側ブラケット
２２ｃ  軸
２３  スプリング
２４  防振部材
２５  螺子
２６  スピーカーホルダ
２７  本体側ブラケット
２７ａ  螺子孔
２７ｂ  係止孔
２８  スピーカー側ブラケット
２８ａ  螺子挿通孔
２８ｂ  係止爪
２９  防振部材
【図１】
2007067462.tif 000003
【図２】
2007067462.tif 000004
【図３】
2007067462.tif 000005
【図４】
2007067462.tif 000006
【図５】
2007067462.tif 000007
【図６】
2007067462.tif 000008
【図７】
2007067462.tif 000009
【図８】
2007067462.tif 000010
【図９】
2007067462.tif 000011